(57)【要約】【課題】  撮像画面内に意図していない極端に高輝度や低輝度の被写体が入ってきた際に、主被写体がいると推定される領域の露出を制御することで、一時的に露出が極端に変化するのを防ぎ、適切な露出制御を実現する。【解決手段】  輝度検出回路１３は撮像画面内の輝度を検出し、その検出された輝度値をもとに輝度変化量検出回路１４で輝度変化量を求める。その輝度変化量が所定値以上であった場合、露出制御方式変更回路１５によって露出方式を変更し、適切な露出値になるように制御する。【選択図】  図１
2005331590.tif 000002
【特許請求の範囲】
【請求項１】
撮像画面の輝度を検出する輝度検出手段と、
前記輝度検出手段により検出された輝度を基に露出値を変更する自動露出制御手段と、
撮像画面内の輝度変化量を検出する輝度変化量検出手段とを有し、
前記輝度変化量検出手段により検出された輝度変化量が予め設定された輝度変化量を超えた場合と超えない場合とで、前記自動露出制御手段が露出値の設定方法を変更することを特徴とする撮像装置。
【請求項２】
前記自動露出制御手段は、前記輝度変化量検出手段により検出された輝度変化量が予め設定された輝度変化量を超えた場合に、前記自動露出制御手段が露出制御方法を変更し、露出制御方法を変更してから所定時間の間に所定の輝度変化量を超えなかった場合に、前記自動露出制御手段が露出制御方法を変更前の露出制御方法に戻すことを特徴とする請求項１に記載の撮像装置。
【請求項３】
撮像画面の輝度を検出する輝度検出手段と、
前記輝度検出手段により検出された輝度を基に露出値を変更する自動露出制御手段と、
撮像画面内の輝度変化量を検出する輝度変化量検出手段とを有し、
前記輝度変化量検出手段により検出された輝度変化量が、あらかじめ設定された輝度変化量を超えた場合に、前記自動露出制御手段が露出値を固定することを特徴とする撮像装置。
【請求項４】
前記撮像画面は複数のエリアに分割されており、前記輝度検出手段は分割されたエリア毎に輝度を検出し、所定のエリアにおいて、前記輝度変化量検出手段により検出された輝度変化量があらかじめ設定された輝度変化量を超えた場合、露出値を固定することを特徴とする請求項２または３に記載の撮像装置。
【請求項５】
前記自動露出制御手段は、露出状態の固定を開始した時点から所定時間が経過した場合に、露出状態の固定を解除し、前記輝度検出手段により検出された輝度を基に露出値を変更することを特徴とする請求項３または４に記載の撮像装置。
【請求項６】
前記自動露出制御手段は、露出値の固定を開始した時点から所定時間が経過するまでの間に、前記輝度変化量検出手段により検出された輝度変化量が予め設定された輝度変化量を超えなかった場合に、露出値の固定を解除することを特徴とする請求項３または４に記載の撮像装置。
【請求項７】
前記自動露出制御手段は、露出値の固定を開始した時点から所定時間が経過するまでの間に、前記輝度変化量検出手段により検出された輝度変化量が予め設定された輝度変化量を超えた場合に、露出値の固定を維持することを特徴とする請求項３、４あるいは６に記載の撮像装置。
【請求項８】
前記所定のエリアとは撮像画面の端部に位置するエリアであることを特徴とする請求項４に記載の撮像装置。
【請求項９】
撮像画面の輝度を検出する輝度検出手段と、
前記輝度検出手段により検出された輝度を基に露出値を変更する自動露出制御手段と、
前記自動露出制御手段により変化した露出の量を検出する露出変化量検出手段とを有し、
前記露出変化量検出手段により検出された露出変化量が、予め設定された露出変化量よりも大きくなったら前記自動露出制御手段が露出値を固定することを特徴とする撮像装置。
【請求項１０】
前記自動露出制御手段は、露出値の固定を開始した時点から所定時間が経過するまでの間に、前記輝度変化量検出手段により検出された輝度変化量が予め設定された輝度変化量を超えなかった場合に、露出値の固定を解除することを特徴とする請求項９に記載の撮像装置。
【請求項１１】
撮像画面の輝度を検出する輝度検出手段と、
前記輝度検出手段により検出された輝度を基に露出値を変更する自動露出制御手段と、
撮像画面内の輝度変化量を検出する輝度変化量検出手段とを有し、
前記輝度変化量検出手段により検出された輝度変化量が、予め設定された輝度変化量を超えた場合に、前記自動露出制御手段が露出値の変更量に限度を設けることを特徴とする撮像装置。
【請求項１２】
前記自動露出制御手段は、露出値の固定を開始した時点から所定時間が経過するまでの間に、前記輝度変化量検出手段により検出された輝度変化量が予め設定された輝度変化量を超えなかった場合に、前記自動露出制御手段が露出値の変更量に限度を設けることを解除することを特徴とする請求項１２に記載の撮像装置。
【請求項１３】
複数のエリアに分割された撮像画面のエリア毎の輝度を検出する輝度検出手段と、
前記輝度検出手段により検出されたエリア毎の輝度に第１の重み付けをして露出状態を変更する自動露出制御手段と、
前記エリア毎の撮像画面内の輝度変化量を検出する輝度変化量検出手段とを有し、
所定のエリアにおいて前記輝度変化量検出手段により検出された輝度変化量が予め設定された輝度変化量を超えた場合に、少なくとも所定時間の間は前記エリア毎の輝度に前記第１の重み付けとは異なる第２の重み付けをして露出値を変更することを特徴とする撮像装置。
【請求項１４】
前記自動露出手段は、重み付けを変化させた時点から前記所定時間が経過するまでの間に、前記輝度変化量検出手段により検出された輝度変化量が予め設定された輝度変化量を超えなかった場合に、前記第１の重み付けをして露出値を変更することを特徴とする請求項１３に記載の撮像装置。
【請求項１５】
撮像画面の輝度を検出し、検出された輝度を基に露出値を変更する撮像装置の露出制御方法であって、
撮像画面内の輝度変化量を検出する輝度変化量検出行程と、
前記輝度変化量検出手段により検出された輝度変化量が予め設定された輝度変化量を超えた場合と超えない場合とで、前記自動露出制御手段が露出値の設定方法を変更する工程とを有することを特徴とする撮像装置の露出制御方法。
【請求項１６】
前記自動露出制御手段は、前記輝度変化量検出手段により検出された輝度変化量が予め設定された輝度変化量を超えた場合に、前記自動露出制御手段が露出制御方法を変更し、露出制御方法を変更してから所定時間の間に所定の輝度変化量を超えなかった場合に、前記自動露出制御手段が露出制御方法を変更前の露出制御方法に戻すことを特徴とする請求項１５に記載の撮像装置の露出制御方法。
【請求項１７】
撮像画面の輝度を検出し、検出された輝度を基に露出値を変更する撮像装置の露出制御方法であって、
前記自動露出制御手段により変化した露出の量を検出する露出変化量検出行程と、
前記露出変化量検出手段により検出された露出変化量が、設定された露出変化量よりも大きくなったら前記自動露出制御手段が露出値を固定する工程とを有することを特徴とする撮像装置の露出制御方法。
【請求項１８】
撮像画面の輝度を検出し、検出された輝度を基に露出値を変更する撮像装置の露出制御方法であって、
撮像画面内の輝度変化量を検出する輝度変化量検出行程と、
前記輝度変化量検出手段により検出された輝度変化量が、予め設定された輝度変化量を超えた場合に、前記自動露出制御手段が露出値の変更量に限度を設ける工程とを有することを特徴とする撮像装置の露出制御方法。
【請求項１９】
複数のエリアに分割された撮像画面のエリア毎の輝度を検出し、前記エリア毎の輝度に重み付けをして露出状態を変更する撮像装置の露出制御方法であって、
撮像画面内の輝度変化量を検出する輝度変化量検出行程と、
所定のエリアにおいて前記輝度変化量検出手段により検出された輝度変化量が予め設定された輝度変化量を超えた場合に、少なくとも所定時間の間は前記エリア毎の輝度に前記重み付けとは異なる重み付けをして露出値を変更することを特徴とする撮像装置の露出制御方法。
【発明の詳細な説明】
【技術分野】
【０００１】
本発明はデジタルカメラやデジタルビデオカメラなどの撮像装置における自動露出制御機能に関するものである。
【背景技術】
【０００２】
デジタルカメラやデジタルビデオカメラ等の撮像装置では、絞り値、シャッター速度、撮像感度等を調節して自動的に適正露出となるように制御が行われる。露出値を意図的に固定するＡＥロック等の特別な指示がない限り、常に露出を適正値にしようと自動露出制御が作用する。
【０００３】
このような自動露出制御を適正に行うために、平均測光、中央部重点測光、スポット測光、あるいは、マルチパターン測光（分割測光、評価測光ともいう）等のいずれかが選択して行われている（例えば、特許文献１参照）。
【特許文献１】特開２０００−４１１７８号公報  （第３−５頁、第１図）
【発明の開示】
【発明が解決しようとする課題】
【０００４】
一般に自動露出制御は、その時点の映像情報から得られた輝度をもとに制御を行っている。撮影中に現在の輝度と大きく異なる輝度を持つ被写体、例えば極端に高い輝度や低い輝度の被写体が撮像エリアを通り過ぎると、自動露出制御はその入ってきた被写体の輝度に一時的に引っ張られてしまう。つまり、輝度の異なる被写体が撮像エリアを通り過ぎる間だけ、露出制御状態が変化してしまうことになる。輝度レベルの異なる被写体が撮像エリアを通り過ぎれば元の露出制御状態に戻るが、映像としては見難いものとなってしまう。
【０００５】
例えば、主被写体がいると推測される領域の露出が適正となるように各分割エリアにそれぞれ重み付けをして測光を行う場合、極端に高い輝度や低い輝度の対象が、撮影画面内の重み付けの大きいエリアを通りすぎると、一時的に露出値が極端に変化してしまう。
【０００６】
撮像中に撮影者が望まない被写体が映像に入りこむことや、被写体とカメラの間に人や車などが横切ることは多々あり、それにつられて自動露出制御が働くと不適切な露出制御となってしまい、見にくい映像となることがある。
【０００７】
本発明は上記欠点を改善し、意図していない極端に高輝度や低輝度の被写体が撮像画面内を通過しても、適正な露出制御を可能とすることを目的とする。
【課題を解決するための手段】
【０００８】
上記課題を解決し、目的を達成するために、本発明の撮像装置は、撮像画面の輝度を検出する輝度検出手段と、前記輝度検出手段により検出された輝度を基に露出状態を変更する自動露出制御手段と、撮像画面内の輝度変化量を検出する輝度変化量検出手段とを有し、
前記輝度変化量検出手段により検出された輝度変化量が予め設定された輝度変化量を超えた場合と超えない場合とで、前記自動露出制御手段が露出値の設定方法を変更する。
【０００９】
また、上記課題を解決し、目的を達成するために、本発明の撮像装置の露出制御方法は、撮像画面の輝度を検出し、検出された輝度を基に露出値を変更する撮像装置の露出制御方法であって、撮像画面内の輝度変化量を検出する輝度変化量検出行程と、前記輝度変化量検出手段により検出された輝度変化量が予め設定された輝度変化量を超えた場合と超えない場合とで、前記自動露出制御手段が露出値の設定方法を変更する。
【発明の効果】
【００１０】
この手法を用い自動露出制御を行うことによって、前記のような不適切な露出制御を防止することが可能となる。または不適切な露出制御を一定以内に抑えることによって見難い映像を抑えることが可能となる。
【発明を実施するための最良の形態】
【００１１】
以下、添付図面を参照して本発明を実施するための最良の形態を詳細に説明する。ただし、本形態において例示される分割エリアの寸法、形状、それらの相対配置などは、本発明が適用される装置の構成や各種条件により適宜変更されるべきものであり、本発明がそれらの例示に限定されるものではない。
【００１２】
（第１の実施形態）
本実施形態における撮像装置の要部構成図の一例を図１に示す。同図において、１は撮像レンズ（簡略して１枚のみで図示）、２は絞り、３は絞り２を駆動させるとともに、絞り２の駆動状態を検出するための絞り駆動回路、４はＮＤ（Ｎｅｕｔｒａｌ  Ｄｅｎｓｉｔｙ）フィルター、５はＮＤフィルター６を駆動させるとともに、ＮＤフィルター４の駆動状態を検出するためのＮＤフィルター駆動回路を示している。６は光電変換機能を有する固体撮像素子であるＣＣＤ、７はＣＣＤ６を駆動するための駆動パルスを供給する撮像素子駆動装置である。固体撮像素子はＣＣＤに限られるものではなく、ＣＭＯＳであっても構わない。８はＣＣＤに蓄えられた画像情報の電荷をサンプリング及び増幅するためのＣＤＳ（Ｃｏｒｒｅｌａｔｅｄ  Ｄｏｕｂｌｅ  Ｓａｍｐｌｉｎｇ：相関二重サンプリング）／ＡＧＣ（Ａｕｔｏ  Ｇａｉｎ  Ｃｏｎｔｒｏｌ：自動利得調整）回路である。９はＣＤＳ／ＡＧＣ回路の出力をデジタルデータに変換するＡ／Ｄ変換器であり、１０はデジタルデータに変換された信号を処理するデジタル信号処理回路を示している。１１は処理されたデジタルデータを記録する記録媒体、１２はマイクロコンピュータを示している。１３はデジタル信号処理回路の出力より撮像画面の輝度を検出する輝度検出回路、１４は１３で検出された輝度の変化量（単位時間あたりの輝度変化の大きさ）を検出する輝度変化量検出回路である。１５は輝度変化量検出回路の出力に応じて露出値を自動制御する自動露出制御と、露出値を固定する固定露出制御とを切換えるための露出制御方式変更回路、１６は露出制御方式変更回路１５の動作時間を計測するタイマカウンタである。
【００１３】
上記構成において被写体からの光束に応じてＣＣＤ６に蓄えられた電荷をＣＤＳ／ＡＧＣ回路８でサンプリング及び増幅させる。ＣＤＳ／ＡＧＣ回路８の出力をＡ／Ｄ変換器９でデジタルデータに変換し、デジタル信号処理回路１０へ送る。
【００１４】
自動露出制御が設定されている場合は、デジタル信号処理回路１０にて被写体の輝度成分を抽出し、輝度検出回路１３にて測光を行い、被写体の輝度を求める。マイクロコンピュータ１２が、この輝度をもとに絞り駆動回路３、ＮＤフィルター駆動回路５及び撮像素子駆動装置７を制御して、適正な露出値の画像信号が得られるよう制御を行う。なお、測光方法としては、平均測光、中央部重点測光、あるいは、マルチパターン測光（分割測光、評価測光ともいう）等のいずれであっても構わない。ここでは、マルチパターン測光を例にあげて説明を行う。
【００１５】
本実施形態の特徴としては、輝度変化量検出回路１４と露出制御方式変更回路１５を有することがあげられる。
【００１６】
輝度変化量検出回路１４は、各分割エリアの輝度変化量を検出しており、所定の分割エリアで輝度変化量が所定量以上となったことを検出すると、露出制御方式変更回路に露出値を固定するよう信号を出力する。
【００１７】
次に本実施形態における撮像装置の露出制御について、図２に示すフローチャート図を用いて説明を行う。
【００１８】
撮像装置の電源が入り、初期設定等の所定の動作が完了すると、撮像装置はステップＳ１０から開始される露出制御を開始する。
【００１９】
ステップＳ１１では、輝度検出回路１３によって撮像画面の測光が行われる。
【００２０】
ステップＳ１２では、図６に示すように撮影画面の左右の端部、あるいは、上下左右の端部に位置する分割エリアにおいて、輝度変化量が所定値以上であったか否かを判定する。ここでいう所定値とは、自動露出制御において適正露出値を所定段よりも多く変更する必要があり、使用者から見て不自然な露出変化を感じる程度の値に設定されている。
【００２１】
ここで輝度変化量が所定値以上であれば、輝度変化量検出回路１４が露出制御方式変更回路１５及びタイマカウンタ１６に信号を出力してステップＳ１３に進み、所定値以上でなければステップＳ１１に戻る。
【００２２】
なお、輝度変化量を検出する対象として撮影画面の端部に位置する分割エリアに限定したのは、大抵の場合、意図していない被写体は画面の端部から入り込んでくるためである。画面の端部に位置する分割エリアの輝度変化量だけ検出すれば足りるため、処理に必要な時間を短縮することができる。勿論、輝度変化量を検出するための分割エリアはこれに限定されるものではなく、すべての分割エリアの輝度変化量を検出するように構成しても構わない。
【００２３】
ステップＳ１３では、露出制御方式変更回路１５がマイクロコンピュータ１２に自動露出制御を中止させ、既に設定されている露出値に固定するよう指令を出す。露出値を固定するとは、絞り値、シャッター速度および撮像感度という露出値に影響を与えるパラメータの変更を禁止することである。また、これに同期して、タイマカウンタ１６は露出値を固定した時間の計測を開始する。そして所定時間Ｔ１が経過するまで露出値を固定し続け、ステップＳ１４に進む。ここでの所定時間Ｔ１とは、人や物が画面を横切る速度にあわせ、およそ数十分の一秒から数秒に設定されている。
【００２４】
ステップＳ１４では、所定時間Ｔ１だけ露出値を固定している間に、所定の分割エリアで上述の所定値以上の輝度変化量が生じたか否かを判定する。このステップＳ１４での所定の分割エリアとは、その直前に所定値以上の輝度変化量が検出された分割エリアに隣接する分割エリアと、ステップＳ１２で輝度変化量の監視を行った分割エリアである。
【００２５】
例えば、ステップＳ１２で、図６に示す第１列と第１６列で所定値以上の輝度変化量が発生したかを監視した結果、第１列で所定値以上の輝度変化量が検出されたのであれば、このステップＳ１４では第１列及び第１６列に加えて、第２列で輝度変化量の監視を行う。もし第２列にて所定値以上の輝度変化量が検出されたのであれば、再度このステップＳ１４に来た場合に、第１列及び第１６列に加えて、第３列で輝度変化量の監視を行い、第３列にて所定値以上の輝度変化量が検出されたのであれば、再度このステップＳ１４に来た場合に、第１列及び第１６列に加えて、第２列及び第４列で輝度変化量の監視を行う。
【００２６】
なお、このステップＳ１４でも輝度変化量を検出するための分割エリアはこれに限定されるものではない。例えば、所定値以上の輝度変化量が検出された分割エリアから所定距離に位置する全ての分割エリアとしても構わないし、撮像画面における全ての分割エリアの輝度変化量を検出するように構成しても構わない。
【００２７】
ステップＳ１４で、上記所定時間内に所定の分割エリア、ここでは第１列及び第１６列に加えて、第２列で輝度変化量の監視を行い、第１列、第１６列及び第２列にて所定値以上の輝度変化が検出されればステップＳ１５で更にＴ１時間だけ露出値を固定し、ステップＳ１４にて再度同じ判定を行う。
【００２８】
また監視したいずれの分割エリアでも所定値以上の輝度変化量が検出されなければステップＳ１６に進む。
【００２９】
ステップＳ１６では、露出制御方式変更回路１５がマイクロコンピュータ１２に露出値の固定を解除して、自動露出制御を再開するよう指令を出す。これにより、自動露出制御が再開される。
【００３０】
ステップＳ１４、Ｓ１５では、極端な輝度を有する意図していない被写体が動いているかを検出している。この被写体が動いている限りは、ステップＳ１４、Ｓ１５を繰り返し、露出値が固定されたままとなる。この被写体が撮像画面から出るか、あるいは撮像画面内で停止したのであれば、ステップＳ１６に進み、自動露出制御が再開されることとなる。
【００３１】
ここで、意図していない被写体が撮像画面から出るだけでなく、停止した場合も自動露出制御を再開させるようにしたのは、この被写体が停止したのであれば、これを使用者が意図する被写体だとみなすためである。もし、使用者が意図しない被写体が撮像画面内で停止したのであれば、この被写体が入らないように撮像画面のアングルを変えるか、スポット測光に切換えるなどして撮影者が何らかの対応を取ることが考えられるからである。
【００３２】
なお、ステップＳ１４での所定時間Ｔ１は、実験的に求めた時間を設定しても良いし、被写体が撮像画面に入ってきたときの移動速度を画像処理より求めて、換算した値をＴ１として設定しても良い。
【００３３】
ステップＳ１７では、自動露出制御によって適正な露出値に設定されたか否かを判定し、適正に露出値に設定されたのであればステップＳ１１に戻り、設定されていなければステップＳ１８に進む。
【００３４】
ステップＳ１８では、適正な露出値を設定するために、測光を行って自動露出制御を行い、ステップＳ１７に戻る。
【００３５】
ステップＳ１７にて適正な露出値に設定されるまで待機したのは、ステップＳ１６で露出固定を解除した直後は大幅な露出値の変更がなされる場合があり、ステップＳ１６から直ぐにステップＳ１１，Ｓ１２に戻ったのでは、この大幅な露出値の変更に起因してステップＳ１２にて輝度変化量が所定値以上であったと判断されてしまう恐れがあるためである。
【００３６】
このように、本実施形態によれば、露出値に大きな影響を与えるような被写体が撮像画面内を通り過ぎるようなことがあっても、その被写体に露出値がひっぱられることなく適正な露出制御を行うことが可能となる。
【００３７】
なお、上記の説明ではステップＳ１２及びステップＳ１４にて輝度変化量の検出を一部の分割エリアにて行っていたが、常に撮像画面内の全ての分割エリアに対して輝度変化量の検出を行うよう構成しても構わない。
【００３８】
また、分割エリア毎に輝度変化量を検出するのではなく、撮像画面全体に対するマルチパターン測光の結果として得られた露出値の補正量が所定値以上であった場合に、所定時間Ｔ１だけ露出値を固定するよう構成しても構わない。
【００３９】
（第２の実施形態）
本実施形態における撮像装置の露出制御について、図３に示すフローチャート図を用いて説明を行う。第１の実施形態と同じ処理を行うステップには、図２と同じステップ番号が割り当てられている。
【００４０】
本実施形態では、ステップＳ１４にて特定の枠にて所定値以上の輝度変化が検出されなかった後の処理（ステップＳ２７）が図２と異なっており、この処理について説明を行う。
【００４１】
本実施形態では、ステップＳ１４にて所定の分割エリアにて所定値以上の輝度変化が検出されなかった場合は、ステップＳ１６にて、露出値の固定を解除して自動露出制御に切り替え、ステップＳ２７にて所定時間待機した後にステップＳ１１に戻る。
【００４２】
ステップＳ２７の所定時間とは、自動露出制御によって露出値が適正となるために十分な時間が設定されている。本実施形態によれば、第１実施形態のステップＳ１７のように露出値が適正に戻ったか否かという判断を行わずに済むことになる。
【００４３】
（第３の実施の形態）
本実施形態における撮像装置の露出制御について、図４に示すフローチャート図を用いて説明を行う。第１の実施形態と同じ処理を行うステップには、図２と同じステップ番号が割り当てられている。
【００４４】
本実施形態では、ステップＳ１２にて撮影画面の端部に位置する分割エリアにおいて輝度変化量が所定値以上であった場合の直後の処理（ステップＳ３３）が図２と異なっており、この処理について説明を行う。
【００４５】
本実施形態では、ステップＳ１２にて、撮影画面の端部に位置する分割エリアにおいて輝度変化量が所定値以上であった場合、続くステップＳ３３にて露出値の変更量に限度を設けた自動露出制御をＴ１時間だけ行って、ステップＳ１４に進む。
【００４６】
ここでいう「露出値の変更の限度」とは、映像を視覚的に判断して違和感のない程度の範囲のことであり、具体的には違和感がある制御とは絞り値、シャッター速度、撮像感度の各制御において１段階か２段階程度以上、例えばシャッター速度で言えば１／６０から１／１００または１／６０から１／１８０程度以上の変化のことをいう。
【００４７】
本実施形態によれば、露出値に大きな影響を与えるような被写体が撮像画面内に留まったとしても、露出値を固定した状態から自動露出制御に切換えた場合に、第１の実施形態よりも素早く露出値を適正な状態に設定することが可能となる。
【００４８】
（第４の実施形態）
本実施形態における撮像装置の露出制御について、図５に示すフローチャート図を用いて説明を行う。第１の実施形態と同じ処理を行うステップには、図２と同じステップ番号が割り当てられている。
【００４９】
本実施形態では、ステップＳ１２にて撮影画面の端部に位置する分割エリアにおいて輝度変化量が所定値以上であった場合の直後の処理（ステップＳ４３）が図２と異なっており、この処理について説明を行う。
【００５０】
また、図７は本実施形態における重み付け変更前の重み付けの一例を示し、図８は本実施形態における重み付け変更後の重み付けの一例を示している。ここで、図７、図８の各分割エリア内のＡ，Ｂ，Ｃはそれぞれ重みの比重を示しており、Ａ＞Ｂ＞Ｃとする。
【００５１】
ここでは上記の実施形態と同様にステップＳ１２において輝度変化量が所定値以上であった場合、所定時間Ｔ１の間は自動露出制御の適正値を算出するために用いる測光値の重み付けを変更している。具体的には、各分割エリアの測光値を求め、それらに重み付けを施して露出値を演算するわけだが、そのときにステップＳ１２またはステップＳ１４の判断条件に合致している分割エリアが存在する列、あるいは、その判断条件に合致している分割エリアの重み付けの比重を零にするか、あるいは図８に示したように小さくして露出制御値を算出する。
【００５２】
このようにすることでも、上記の第１から第３の実施形態に似た効果を得ることが可能となる。
【００５３】
なお、上記実施形態ではステップＳ１２、ステップＳ１４において輝度変化量を判断の基準にしているが、露出量の変化を判断の基準にしてもよい。
【００５４】
さらに、ステップＳ１３、ステップＳ３３、ステップＳ４３において所定時間Ｔ１が経過するまでの間に、再び所定以上の輝度変化が検出された場合、再び所定以上の輝度変化が検出された時点から露出を固定させてもよい。
【００５５】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。ここでプログラムコードを記憶する記憶媒体としては、例えば、フレキシブルディスク、ハードディスク、ＲＯＭ、ＲＡＭ、磁気テープ、不揮発性のメモリカード、ＣＤ―ＲＯＭ、ＣＤ―Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【図面の簡単な説明】
【００５６】
【図１】第１の実施形態における撮像装置の構成図である。
【図２】第１の実施形態における撮像装置の露出制御のフローチャートを示す図である。
【図３】第２の実施形態における撮像装置の露出制御のフローチャートを示す図である。
【図４】第３の実施形態における撮像装置の露出制御のフローチャートを示す図である。
【図５】第４の実施形態における撮像装置の露出制御のフローチャートを示す図である。
【図６】輝度変化量が所定値以上であったか否かを判定する分割エリアの一例を示す図である。
【図７】第４の実施形態における重み付けが変更される前の重み付けの比重を示す図である。
【図８】第４の実施形態における重み付けが変更された後の重み付けの比重を示す図である。
【符号の説明】
【００５７】
１  撮像レンズ
２  絞り
３  絞り駆動回路
４  ＮＤフィルター
５  ＮＤフィルター駆動回路
６  ＣＣＤ
７  撮像素子駆動回路
８  ＣＤＳ／ＡＧＣ回路
９  Ａ／Ｄ変換器
１０  デジタル信号処理回路
１１  記録媒体
１２  マイクロコンピュータ
１３  輝度検出回路
１４  輝度変化量検出回路
１５  露出制御方式変更回路
１６  タイマカウンタ
【図１】
2005331590.tif 000003
【図２】
2005331590.tif 000004
【図３】
2005331590.tif 000005
【図４】
2005331590.tif 000006
【図５】
2005331590.tif 000007
【図６】
2005331590.tif 000008
【図７】
2005331590.tif 000009
【図８】
2005331590.tif 000010